【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
インプラントの長手方向に延在する一つまたはそれ以上の外表面を持つように設計されたインプラントを作製するための方法であって、関係する外表面について以下の二つまたは全ての生産段階によって特徴付けられ：
ａ）波形が実質的に前記長手方向に延在する長波パターンを持つトポグラフィが、切削加工によって作製される、
ｂ）例えば振動運動を含むレーザ衝撃または切削加工は、波形が好ましくは実質的に前記長手方向に延在する中間長の波形パターンを持つトポグラフィを作製するために使用される、
ｃ）酸化プロセスまたはショットピーニングまたはエッチング法が酸化物層またはショットピーニングされた層またはエッチングされた層を作製するために使用される、
そして前記生産段階の二つが使用される場合、ａ）に記載の前記切削加工またはｂ）に記載の前記レーザ衝撃または切削加工のいずれかの後に、酸化プロセスが続き、三つの生産段階を全て使用する場合、ａ）に記載の切削加工の後にｂ）に記載のレーザ衝撃また切削加工が続き、その後に今度は酸化プロセスまたはショットピーニングまたはエッチング法が続くインプラントを作製するための方法。
【請求項２】
長手方向に延在する一つまたはそれ以上の外表面を持つインプラントであって、関係する外表面が以下のいずれかによって構成されることを特徴とするインプラント：
ａ）長波または中間長の波を持つ下部波形パターン、および前記波形パターンの上に配設される酸化物層またはショットピーニングまたはエッチング層であり、その場合長波および好ましくは中間長の波が実質的に前記長手方向に延在する、
ｂ）長波を持つ下部波形パターン、前記波形パターンの上に配設される中間長の波の波形パターン、および前記波形パターンの上に配設される酸化物層またはショットピーニングされた層またはエッチングされた層であり、その場合前記長波および前記中間長の波が実質的に前記長手方向に延在する。
【請求項３】
各波形パターンおよび層の組合せは、実際のインプラント状況に関する一つまたはそれ以上のパラメータ、例えば表面積、表面体積、ならびにＲａおよびＰＶ値に関する値（データ）を作製するために構成されることを特徴とする請求項２に記載のインプラント。
【請求項４】
前記波形パターンの組合せのない従来のインプラントと比較して、表面積の最適増加および／または表面体積の最適増加を備え、その表面は下部波形パターンを切削加工によって確立し、中間パターンをレーザ衝撃または切削加工によって確立し、および最上パターンを酸化プロセスまたはショットピーニングまたはエッチング法によって作製することにより設計されることを特徴とする請求項２または３に記載のインプラント。
【請求項５】
切削加工によって得られる下部波形パターンを持つ場合、このパターンは２５ないし２００μｍ、好ましくは５０ないし１５０μｍの範囲の深さを持つように選択された、実質的に平行な谷またはくぼみを含むことを特徴とする請求項２、３または４に記載のインプラント。
【請求項６】
レーザ衝撃によって得られる下部または中間波形パターンを持つ場合、このパターンは１０ないし７５μｍの範囲の深さを持つように選択された、平行な谷またはくぼみを含むことを特徴とする請求項２〜５のいずれかに記載のインプラント。
【請求項７】
各外表面は、その長手方向に沿って異なる波形パターンおよび層の組合せを持つように設計されることを特徴とする請求項２〜６のいずれかに記載のインプラント。
【請求項８】
骨縁部における補綴構造に取り付けられる部分が、前記組合せを持つインプラントに比較して表面積および表面体積の増加が比較的小さい波形パターンおよび層の組合せを与えられることを特徴とする請求項２〜７のいずれかに記載のインプラント。
【請求項９】
長波および中間長の波が規則正しいことを特徴とする請求項２〜８のいずれかに記載のインプラント。
【請求項１０】
一つまたはそれ以上の波形パターンの波は前記長手方向に沿って規則正しく、または不規則に減少することを特徴とする請求項２〜９のいずれかに記載のインプラント。
【請求項１１】
様々な治療状況を意図した単数または複数のインプラントを提供するためのシステムであって、それぞれのインプラントの識別および可能な解析および／または修正のための第一部材、識別および可能な解析および／または修正に関連するデータ情報（ｉ１および／またはｉ２）を送信するための第二部材、および前記データ情報の関数として、それぞれのインプラントを作製するように構成された第三部材を含むシステムにおいて、データ情報が、インプラントの長手方向に延在する一つまたはそれ以上のインプラントの外表面の上に相互に重ねて配設される波形パターンおよび層の組合せを開始または起動させるように配設されること、およびデータ情報は、一方で切削加工によって得られる長波を持つ下部波形パターン、またはレーザ衝撃もしくは切削加工によって得られる中間長の波を持つ下部波形パターンを含み、かつ他方で酸化プロセスまたはショットピーニングまたはエッチングによって得られる最上層を含む第一の波形のパターンの組合せを開始するように、または切削加工によって得られる長波を持つ下部波形パターン、レーザ衝撃または切削加工によって得られる中間長の波を持つ中間波形パターン、および酸化プロセスによって得られる最上層を含む第二の波形パターンおよび層の組合せを開始するように構成されることを特徴とするシステム。
【請求項１２】
第一部材は、様々な骨部、例えば顎骨部を様々な波形パターンおよび層の組合せに割り当てるように構成されることを特徴とする請求項１１に記載のシステム。
【請求項１３】
第一部材は、一つだけの波形パターンと、前記波形パターンの組合せを持つインプラントに比較して面積および／または体積の増加が比較的小さい最上層を持つ波形パターンおよび層の組合せに、硬骨または硬骨部を割り当てるように構成されることを特徴とする請求項１１または１２に記載のシステム。
【請求項１４】
第一部材は、相互に上に重ねて配設された一つまたは二つの波形パターンと、面積および／または体積の増加が比較的大きい最上層とを持つ波形パターンおよび層の組合せに、中間的硬さの骨または骨部分を割り当てるように構成されることを特徴とする請求項１１、１２または１３に記載のシステム。
【請求項１５】
第一部材は、相互に上に重ねて配設された二つの波形パターンおよび最上層を有する波形パターンおよび層の組合せに軟質の骨だけを割り当てるように構成されることを特徴とする請求項１１〜１４のいずれかに記載のシステム。
【手続補正２】
【補正対象書類名】明細書
【補正対象項目名】００１０
【補正方法】変更
【補正の内容】
【００１０】
各波形パターンおよび層の組合せは、実際のインプラント状況に関する一つまたはそれ以上のパラメータの値またはデータ、例えば表面積、表面体積、ならびにＲａおよびＰＶ値を得るように構成することが好ましい。下部波形パターンを切削加工によって確立し、中間パターンをレーザ衝撃またはさらなる切削加工によって確立し、最上層を酸化プロセスによってまたはショットピーニングまたはエッチングによって確立することにより、表面積の最適増加および／または表面体積の最適増加を備えた各表面が設計される。切削加工によって得られる下部波形パターンの場合、このパターンは、２５ないし２００μｍ、好ましくは５０ないし１５０μｍの範囲の深さを持つように選択された、実質的に平行な谷またはくぼみを含む。例えば、単数または複数のねじ切りされた表面の場合、谷は、インプラントの主方向の各ねじ山の螺旋に従う。レーザ衝撃またはさらなる切削加工によって確立された、下部中間波形パターンは相応して実質的に平行な谷またはくぼみを含み、それは１０ないし７５μｍの範囲の深さおよび７５ないし１５０μｍの直径を取ることができる。最上部のパターンは、それ自体公知の方法で配設することができる。各外表面は、その長手方向の広がりに沿って異なる波形パターンおよび層の組合せを持つように設計することができる。当該骨、例えば顎骨から出現するインプラントの部分には、単数または複数の前記波形パターンおよび層の組合せを持つ表面に比較して、表面積または表面体積の増加が比較的小さい波形パターンおよび層の組合せがある。